(57)【要約】【課題】フランジバックが短いにもかかわらず、諸収差が良好に補正され、かつ十分な拡大倍率を有するコンバーターレンズ装置及びそれを備えた撮影システムを提供すること。【解決手段】マスターレンズ装置が装着される第１のマウント部と、カメラ本体が装着される第２のマウント部と、負の屈折力を有するコンバーターレンズと、を有するコンバーターレンズ装置であって、コンバーターレンズ装置とマスターレンズ装置とで構成される光学系の焦点距離は、マスターレンズ装置における光学系の焦点距離よりも長く、コンバーターレンズは、物体側から順に、正の屈折力を有する第１レンズ群と、負の屈折力を有する第２レンズ群と、第３レンズ群と、を有し、以下の条件式（１）を満たす。  ０．１＜｜ｆ｜／（β×Ｄ）＜０．８７      （１）【選択図】図１
2016177042.tif 000002
【特許請求の範囲】
【請求項１】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
以下の条件式（１）を満たすことを特徴とするコンバーターレンズ装置。
０．１＜｜ｆ｜／（β×Ｄ）＜０．８７      （１）
但し、
前記第１のマウント部側を物体側、前記第２のマウント部側を像側とし、
ｆは、前記コンバーターレンズ全系の焦点距離、
βは、前記コンバーターレンズの倍率、
Ｄは、前記コンバーターレンズの光軸上での厚み、
である。
【請求項２】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第２レンズ群は、物体側から順に、負の屈折力を有する物体側レンズ群と、負の屈折力を有する像側レンズ群と、を有し、
以下の条件式（２）を満たすことを特徴とするコンバーターレンズ装置。
１．７＜ｆ21／ｆ22＜１８      （２）
但し、
前記第１のマウント部側を物体側、前記第２のマウント部側を像側とし、
ｆ21は、前記物体側レンズ群の焦点距離、
ｆ22は、前記像側レンズ群の焦点距離、
である。
【請求項３】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第２レンズ群は、物体側から順に、負の屈折力を有する物体側レンズ群と、負の屈折力を有する像側レンズ群と、を有し、
前記物体側レンズ群と前記像側レンズ群は、共に接合レンズを有し、
以下の条件式（２’）を満たすことを特徴とするコンバーターレンズ装置。
０．６＜ｆ21／ｆ22＜１０      （２’）
但し、
前記第１のマウント部側を物体側、前記第２のマウント部側を像側とし、
ｆ21は、前記物体側レンズ群の焦点距離、
ｆ22は、前記像側レンズ群の焦点距離、
である。
【請求項４】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第２レンズ群は、物体側から順に、負の屈折力を有する物体側レンズ群と、負の屈折力を有する像側レンズ群と、を有し、
前記物体側レンズ群と前記像側レンズ群は、共に接合レンズを有し、
前記物体側レンズ群の最も物体側の面と前記像側レンズ群の最も物体側の面は、共に物体側に凹面を向けていることを特徴とするコンバーターレンズ装置。
但し、
前記第１のマウント部側を物体側、前記第２のマウント部側を像側とする。
【請求項５】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第２レンズ群は、物体側から順に、負の屈折力を有する物体側レンズ群と、負の屈折力を有する像側レンズ群と、を有し、
前記物体側レンズ群の最も物体側の面は、物体側に凹面を向けており、
前記像側レンズ群は、３枚のレンズで構成された接合レンズを有することを特徴とするコンバーターレンズ装置。
但し、
前記第１のマウント部側を物体側、前記第２のマウント部側を像側とする。
【請求項６】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第２レンズ群は、物体側から順に、負の屈折力を有する物体側レンズ群と、負の屈折力を有する像側レンズ群と、を有し、
前記像側レンズ群は、３枚のレンズで構成された接合レンズを有し、
以下の条件式（４）を満たすことを特徴とするコンバーターレンズ装置。
−２．０＜（ｒ21f＋ｒ21r）／（ｒ21f−ｒ21r）＜２．０      （４）
但し、
前記第１のマウント部側を物体側、前記第２のマウント部側を像側とし、
ｒ21fは、前記物体側レンズ群の最も物体側の面の曲率半径、
ｒ21rは、前記物体側レンズ群の最も像側の面の曲率半径、
である。
【請求項７】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第２レンズ群は、物体側から順に、負の屈折力を有する物体側レンズ群と、負の屈折力を有する像側レンズ群と、を有し、
前記物体側レンズ群は、接合レンズを有し、
前記第３レンズ群は、接合レンズを有することを特徴とするコンバーターレンズ装置。
但し、
前記第１のマウント部側を物体側、前記第２のマウント部側を像側とする。
【請求項８】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第１レンズ群は、接合レンズを有し、
前記第２レンズ群は、物体側から順に、負の屈折力を有する物体側レンズ群と、負の屈折力を有する像側レンズ群と、を有し、
前記像側レンズ群は、接合レンズを有することを特徴とするコンバーターレンズ装置。
但し、
前記第１のマウント部側を物体側、前記第２のマウント部側を像側とする。
【請求項９】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第２レンズ群は、物体側から順に、負の屈折力を有する物体側レンズ群と、負の屈折力を有する像側レンズ群と、を有し、
前記像側レンズ群は、接合レンズを有し、
以下の条件式（８）を満たすことを特徴とするコンバーターレンズ装置。
−２．４＜ｆ3／ｆ＜−０．７５      （８）
但し、
前記第１のマウント部側を物体側、前記第２のマウント部側を像側とし、
ｆ3は、前記第３レンズ群の焦点距離、
ｆは、前記コンバーターレンズ全系の焦点距離、
である。
【請求項１０】
マスターレンズ装置が装着される第１のマウント部と、
カメラ本体が装着される第２のマウント部と、
負の屈折力を有するコンバーターレンズと、を有するコンバーターレンズ装置であって、
前記コンバーターレンズ装置と前記マスターレンズ装置とで構成される光学系の焦点距離は、前記マスターレンズ装置における光学系の焦点距離よりも長く、
前記コンバーターレンズは、物体側から順に、
正の屈折力を有する第１レンズ群と、
負の屈折力を有する第２レンズ群と、
第３レンズ群と、を有し、
前記第１レンズ群は、接合レンズを有し、
前記第２レンズ群は、物体側から順に、負の屈折力を有する物体側レンズ群と、負の屈折力を有する像側レンズ群と、を有し、
以下の条件式（８’）を満たすことを特徴とするコンバーターレンズ装置。
−２．４＜ｆ3／ｆ＜−１．０      （８’）
但し、
前記第１のマウント部側を物体側、前記第２のマウント部側を像側とし、
ｆ3は、前記第３レンズ群の焦点距離、
ｆは、前記コンバーターレンズ全系の焦点距離、
である。
【請求項１１】
以下の条件式（３）を満たすことを特徴とする請求項１から１０のいずれか１項に記載のコンバーターレンズ装置。
０．３＜ｆ23／ｆ＜０．９      （３）
但し、
ｆ23は、前記第２レンズ群と前記第３レンズ群の合成焦点距離、
ｆは、コンバーターレンズ全系の焦点距離、
である。
【請求項１２】
前記第２レンズ群は、負の屈折力を有する物体側レンズ群を有し、
以下の条件式（４）を満たすことを特徴とする請求項１から５、７から１１のいずれか１項に記載のコンバーターレンズ装置。
−２．０＜（ｒ21f＋ｒ21r）／（ｒ21f−ｒ21r）＜２．０      （４）
但し、
ｒ21fは、前記物体側レンズ群の最も物体側の面の曲率半径、
ｒ21rは、前記物体側レンズ群の最も像側の面の曲率半径、
である。
【請求項１３】
前記第２レンズ群は、負の屈折力を有する像側レンズ群を有し、
以下の条件式（５）を満たすことを特徴とする請求項１から１２のいずれか１項に記載のコンバーターレンズ装置。
−２．０＜（ｒ22f＋ｒ22r）／（ｒ22f−ｒ22r）＜０      （５）
但し、
ｒ22fは、前記像側レンズ群の最も物体側の面の曲率半径、
ｒ22rは、前記像側レンズ群の最も像側の面の曲率半径、
である。
【請求項１４】
前記第２レンズ群は、負の屈折力を有する像側レンズ群を有し、
以下の条件式（６）を満たすことを特徴とする請求項１から１３のいずれか１項に記載のコンバーターレンズ装置。
１．７５＜ｎｄ22N＜２．００      （６）
但し、
ｎｄ22Nは、前記像側レンズ群に含まれる負レンズのｄ線での屈折率の平均値、
である。
【請求項１５】
前記第２レンズ群は、負の屈折力を有する像側レンズ群を有し、
以下の条件式（７）を満たすことを特徴とする請求項１４に記載のコンバーターレンズ装置。
２５＜νｄ22N＜５０      （７）
但し、
νｄ22Nは、前記像側レンズ群に含まれる負レンズのｄ線基準のアッベ数の平均値、
である。
【請求項１６】
以下の条件式（１）を満たすことを特徴とする請求項２から１５のいずれか１項に記載のコンバーターレンズ装置。
０．１＜｜ｆ｜／（β×Ｄ）＜０．８７      （１）
但し、
ｆは、前記コンバーターレンズ全系の焦点距離、
βは、前記コンバーターレンズの倍率、
Ｄは、前記コンバーターレンズの光軸上での厚み、
である。
【請求項１７】
前記第２レンズ群は、物体側から順に、負の屈折力を有する物体側レンズ群と、像側レンズ群と、を有することを特徴とする請求項１から１６のいずれか１項に記載のコンバーターレンズ装置。
【請求項１８】
前記第２レンズ群は、物体側から順に、物体側レンズ群と、負の屈折力を有する像側レンズ群と、を有することを特徴とする請求項１から１７のいずれか１項に記載のコンバーターレンズ装置。
【請求項１９】
前記第２レンズ群は、物体側から順に、負の屈折力を有する物体側レンズ群と、負の屈折力を有する像側レンズ群と、を有し、
以下の条件式（２）を満たすことを特徴とする請求項１、３から１８のいずれか１項に記載のコンバーターレンズ装置。
１．７＜ｆ21／ｆ22＜１８      （２）
但し、
ｆ21は、前記物体側レンズ群の焦点距離、
ｆ22は、前記像側レンズ群の焦点距離、
である。
【請求項２０】
前記第２レンズ群は、物体側から順に、負の屈折力を有する物体側レンズ群と、負の屈折力を有する像側レンズ群と、を有し、
条件式（２’）を満たすことを特徴とする請求項１、２、４から１９のいずれか１項に記載のコンバーターレンズ装置。
０．６＜ｆ21／ｆ22＜１０      （２’）
但し、
ｆ21は、前記物体側レンズ群の焦点距離、
ｆ22は、前記像側レンズ群の焦点距離、
である。
【請求項２１】
前記第２レンズ群は、負の屈折力を有する物体側レンズ群を有し、
前記物体側レンズ群の最も物体側の面は、物体側に凹面を向けていることを特徴とする請求項１から２０のいずれか１項に記載のコンバーターレンズ装置。
【請求項２２】
前記第２レンズ群は、負の屈折力を有する像側レンズ群を有し、
前記像側レンズ群の最も物体側の面は、物体側に凹面を向けていることを特徴とする請求項１から２１のいずれか１項に記載のコンバーターレンズ装置。
【請求項２３】
前記第２レンズ群は、負の屈折力を有する物体側レンズ群を有し、
前記物体側レンズ群は、接合レンズを有することを特徴とする請求項１から２２のいずれか１項に記載のコンバーターレンズ装置。
【請求項２４】
前記第２レンズ群は、負の屈折力を有する像側レンズ群を有し、
前記像側レンズ群は、接合レンズを有することを特徴とする請求項１から２３のいずれか１項に記載のコンバーターレンズ装置。
【請求項２５】
前記第２レンズ群は、負の屈折力を有する像側レンズ群を有し、
前記像側レンズ群は、３枚のレンズで構成された接合レンズを有することを特徴とする請求項１から２４のいずれか１項に記載のコンバーターレンズ装置。
【請求項２６】
前記第１レンズ群は接合レンズを有することを特徴とする請求項１から２５のいずれか１項に記載のコンバーターレンズ装置。
【請求項２７】
前記第３レンズ群は正の屈折力を有することを特徴とする請求項１から２６のいずれか１項に記載のコンバーターレンズ装置。
【請求項２８】
以下の条件式（８）を満たすことを特徴とする請求項１から８、１１から２７のいずれか１項に記載のコンバーターレンズ装置。
−２．４＜ｆ3／ｆ＜−０．７５      （８）
但し、
ｆ3は、前記第３レンズ群の焦点距離、
ｆは、前記コンバーターレンズ全系の焦点距離、
である。
【請求項２９】
前記第３レンズ群は接合レンズを有することを特徴とする請求項１から２８のいずれか１項に記載のコンバーターレンズ装置。
【請求項３０】
マスターレンズ装置と、
撮像素子を有するカメラ本体と、
前記マスターレンズ装置と前記カメラ本体との間に装着可能なコンバーターレンズ装置と、を有し、
前記マスターレンズ装置と前記コンバーターレンズ装置とで構成される光学系により、物体の像が形成され、
前記撮像素子は前記物体の像位置に配置されると共に、前記物体の像を電気信号に変換し、
前記コンバーターレンズ装置が、請求項１から２９のいずれか１項に記載のコンバーターレンズを有することを特徴とする撮影システム。
【発明の詳細な説明】
【技術分野】
【０００１】
本発明は、マスターレンズ装置の光学系の焦点距離よりも長い焦点距離を有する光学系を得るためのコンバーターレンズ装置及びそれを備えた撮影システムに関するものである。
【背景技術】
【０００２】
従来、マスターレンズの焦点距離を変化させる光学系として、コンバーターレンズが知られている。コンバーターレンズは、使用時に、マスターレンズの物体側、又はマスターレンズの像側に装着される。マスターレンズの像側に装着されるコンバーターレンズは、リアコンバーターレンズと呼ばれている。
【０００３】
リアコンバーターレンズを有するコンバーターレンズ装置には、マウント部が２つ設けられている。一方のマウント部は、マスターレンズ装置のマウント部に対応するマウント部で、他方のマウント部は、カメラ本体のマウント部に対応するマウント部である。
【０００４】
コンバーターレンズ装置の使用時、コンバーターレンズ装置は２つのマウント部を介して、マスターレンズ装置とカメラ本体との間に挟み込まれる。このようにすることで、マスターレンズの焦点距離を変化させることができる。マスターレンズの焦点距離を長くするためのリアコンバーターレンズは、リアテレコンバーターレンズと呼ばれている。
【０００５】
このようなリアテレコンバーターレンズは、簡単にマスターレンズの焦点距離を長くできるので便利である。そのため、リアテレコンバーターレンズは、レンズ交換可能な一眼レフレックスカメラのユーザー、特に、望遠撮影を行うユーザーに好まれて使用されている。
【０００６】
一方、近年では、レンズ交換可能なカメラシステムにおいて、クイックリターンミラーを廃止した新しいカメラシステム、すなわち、フランジバックを短くして、小型化や薄型化を実現したカメラシステムが人気を博している。このような新しいカメラシステムにおいても、リアテレコンバーターレンズへの需要が高い。
【０００７】
このようなリアテレコンバーターレンズが、例えば、特許文献１〜特許文献３に開示されている。
【先行技術文献】
【特許文献】
【０００８】
【特許文献１】特許５３５０２０２号公報
【特許文献２】特許４６３９５８１号公報
【特許文献３】特許５６３１９２８号公報
【発明の概要】
【発明が解決しようとする課題】
【０００９】
特許文献１や特許文献２に開示されたリアテレコンバーターレンズは、一眼レフレックスカメラへの使用を目的としたコンバーターレンズである。これらのリアテレコンバーターレンズは長いフランジバックを前提としているため、上述のような新しいカメラシステムには使えない。一方、特許文献３に開示されたリアテレコンバーターレンズはフランジバックの短いカメラシステムに適用したリアテレコンバーターであるが、倍率が小さい。
【００１０】
本発明は、このような課題に鑑みてなされたものであって、フランジバックが短いにもかかわらず、諸収差が良好に補正され、かつ十分な拡大倍率を有するコンバーターレンズ装置及びそれを備えた撮影システムを提供することを目的とする。
【課題を解決するための手段】
【００１１】
上述した課題を解決し、目的を達成するために、本発明のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
以下の条件式（１）を満たすことを特徴とする。
０．１＜｜ｆ｜／（β×Ｄ）＜０．８７      （１）
但し、
第１のマウント部側を物体側、第２のマウント部側を像側とし、
ｆは、コンバーターレンズ全系の焦点距離、
βは、コンバーターレンズの倍率、
Ｄは、コンバーターレンズの光軸上での厚み、
である。
【００１２】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第２レンズ群は、物体側から順に、負の屈折力を有する物体側レンズ群と、負の屈折力を有する像側レンズ群と、を有し、
以下の条件式（２）を満たすことを特徴とする。
１．７＜ｆ21／ｆ22＜１８      （２）
但し、
第１のマウント部側を物体側、第２のマウント部側を像側とし、
ｆ21は、物体側レンズ群の焦点距離、
ｆ22は、像側レンズ群の焦点距離、
である。
【００１３】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第２レンズ群は、物体側から順に、負の屈折力を有する物体側レンズ群と、負の屈折力を有する像側レンズ群と、を有し、
物体側レンズ群と像側レンズ群は、共に接合レンズを有し、
以下の条件式（２’）を満たすことを特徴とする。
０．６＜ｆ21／ｆ22＜１０      （２’）
但し、
第１のマウント部側を物体側、第２のマウント部側を像側とし、
ｆ21は、物体側レンズ群の焦点距離、
ｆ22は、像側レンズ群の焦点距離、
である。
【００１４】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第２レンズ群は、物体側から順に、負の屈折力を有する物体側レンズ群と、負の屈折力を有する像側レンズ群と、を有し、
物体側レンズ群と像側レンズ群は、共に接合レンズを有し、
物体側レンズ群の最も物体側の面と像側レンズ群の最も物体側の面は、共に物体側に凹面を向けていることを特徴とする。
但し、
第１のマウント部側を物体側、第２のマウント部側を像側とする。
【００１５】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第２レンズ群は、物体側から順に、負の屈折力を有する物体側レンズ群と、負の屈折力を有する像側レンズ群と、を有し、
物体側レンズ群の最も物体側の面は、物体側に凹面を向けており、
像側レンズ群は、３枚のレンズで構成された接合レンズを有することを特徴とする。
但し、
第１のマウント部側を物体側、第２のマウント部側を像側とする。
【００１６】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第２レンズ群は、物体側から順に、負の屈折力を有する物体側レンズ群と、負の屈折力を有する像側レンズ群と、を有し、
像側レンズ群は、３枚のレンズで構成された接合レンズを有し、
以下の条件式（４）を満たすことを特徴とする。
−２．０＜（ｒ21f＋ｒ21r）／（ｒ21f−ｒ21r）＜２．０      （４）
但し、
第１のマウント部側を物体側、第２のマウント部側を像側とし、
ｒ21fは、物体側レンズ群の最も物体側の面の曲率半径、
ｒ21rは、物体側レンズ群の最も像側の面の曲率半径、
である。
【００１７】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第２レンズ群は、物体側から順に、負の屈折力を有する物体側レンズ群と、負の屈折力を有する像側レンズ群と、を有し、
物体側レンズ群は、接合レンズを有し、
第３レンズ群は、接合レンズを有することを特徴とする。
但し、
第１のマウント部側を物体側、第２のマウント部側を像側とする。
【００１８】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第１レンズ群は、接合レンズを有し、
第２レンズ群は、物体側から順に、負の屈折力を有する物体側レンズ群と、負の屈折力を有する像側レンズ群と、を有し、
像側レンズ群は、接合レンズを有することを特徴とする。
但し、
第１のマウント部側を物体側、第２のマウント部側を像側とする。
【００１９】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第２レンズ群は、物体側から順に、負の屈折力を有する物体側レンズ群と、負の屈折力を有する像側レンズ群と、を有し、
像側レンズ群は、接合レンズを有し、
以下の条件式（８）を満たすことを特徴とする。
−２．４＜ｆ3／ｆ＜−０．７５      （８）
但し、
第１のマウント部側を物体側、第２のマウント部側を像側とし、
ｆ3は、第３レンズ群の焦点距離、
ｆは、コンバーターレンズ全系の焦点距離、
である。
【００２０】
また、本発明の別のコンバーターレンズ装置は、
マスターレンズ装置が装着される第１のマウント部と、
カメラ本体が装着される第２のマウント部と、
負の屈折力を有するコンバーターレンズと、を有するコンバーターレンズ装置であって、
コンバーターレンズ装置とマスターレンズ装置とで構成される光学系の焦点距離は、マスターレンズ装置における光学系の焦点距離よりも長く、
コンバーターレンズは、物体側から順に、
正の屈折力を有する第１レンズ群と、
負の屈折力を有する第２レンズ群と、
第３レンズ群と、を有し、
第１レンズ群は、接合レンズを有し、
第２レンズ群は、物体側から順に、負の屈折力を有する物体側レンズ群と、負の屈折力を有する像側レンズ群と、を有し、
以下の条件式（８’）を満たすことを特徴とする。
−２．４＜ｆ3／ｆ＜−１．０      （８’）
但し、
第１のマウント部側を物体側、第２のマウント部側を像側とし、
ｆ3は、第３レンズ群の焦点距離、
ｆは、コンバーターレンズ全系の焦点距離、
である。
【００２１】
また、本発明の撮影システムは、
マスターレンズ装置と、
撮像素子を有するカメラ本体と、
マスターレンズ装置とカメラ本体との間に装着可能なコンバーターレンズ装置と、を有し、
マスターレンズ装置とコンバーターレンズ装置とで構成される光学系により、物体の像が形成され、
撮像素子は物体の像位置に配置されると共に、物体の像を電気信号に変換し、
コンバーターレンズ装置が、上述のいずれかのコンバーターレンズを有することを特徴とする。
【発明の効果】
【００２２】
本発明によれば、フランジバックが短いにもかかわらず、諸収差が良好に補正され、かつ十分な拡大倍率を有するコンバーターレンズ装置及びそれを備えた撮影システムを提供することができる。
【図面の簡単な説明】
【００２３】
【図１】実施例１に係るコンバーターレンズのレンズ断面図である。
【図２】実施例２に係るコンバーターレンズのレンズ断面図である。
【図３】実施例３に係るコンバーターレンズのレンズ断面図である。
【図４】実施例４に係るコンバーターレンズのレンズ断面図である。
【図５】実施例５に係るコンバーターレンズのレンズ断面図である。
【図６】実施例６に係るコンバーターレンズのレンズ断面図である。
【図７】実施例１に係るコンバーターレンズの収差図であって、球面収差（ＳＡ）、非点収差（ＡＳ）、歪曲収差（ＤＴ）、倍率色収差（ＣＣ）を示す図である。
【図８】実施例２に係るコンバーターレンズの収差図であって、球面収差（ＳＡ）、非点収差（ＡＳ）、歪曲収差（ＤＴ）、倍率色収差（ＣＣ）を示す図である。
【図９】実施例３に係るコンバーターレンズの収差図であって、球面収差（ＳＡ）、非点収差（ＡＳ）、歪曲収差（ＤＴ）、倍率色収差（ＣＣ）を示す図である。
【図１０】実施例４に係るコンバーターレンズの収差図であって、球面収差（ＳＡ）、非点収差（ＡＳ）、歪曲収差（ＤＴ）、倍率色収差（ＣＣ）を示す図である。
【図１１】実施例５に係るコンバーターレンズの収差図であって、球面収差（ＳＡ）、非点収差（ＡＳ）、歪曲収差（ＤＴ）、倍率色収差（ＣＣ）を示す図である。
【図１２】実施例６に係るコンバーターレンズの収差図であって、球面収差（ＳＡ）、非点収差（ＡＳ）、歪曲収差（ＤＴ）、倍率色収差（ＣＣ）を示す図である。
【図１３】マスターレンズのレンズ断面図である。
【図１４】マスターレンズとコンバーターレンズを組み合わせたときのレンズ断面図である。
【図１５】撮影システムの断面図であって、マスターレンズ装置とコンバーターレンズ装置をカメラに装着したときの断面図である。
【発明を実施するための形態】
【００２４】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００２５】
本実施形態のコンバーターレンズ装置が備える基本構成について説明する。以下の説明では、第１のマウント部側を物体側、第２のマウント部側を像側としている。また、物体側には、マスターレンズ装置が位置し、像側にはカメラ本体が位置する。
【００２６】
基本構成では、コンバーターレンズ装置は、マスターレンズ装置が装着される第１のマウント部と、カメラ本体が装着される第２のマウント部と、負の屈折力を有するコンバーターレンズと、を有し、コンバーターレンズ装置とマスターレンズ装置とで構成される光学系の焦点距離は、マスターレンズ装置における光学系の焦点距離よりも長く、コンバーターレンズは、物体側から順に、正の屈折力を有する第１レンズ群と、負の屈折力を有する第２レンズ群と、第３レンズ群と、を有することを特徴とする。
【００２７】
本実施形態のコンバーターレンズ装置におけるコンバーターレンズ（以下、「本実施形態のコンバーターレンズ」という）は、リアコンバーターレンズとして機能する。よって、コンバーターレンズ装置は、使用時に、マスターレンズ装置とカメラ本体との間に挟み込まれる。そのために、コンバーターレンズ装置には、第１のマウント部と第２のマウント部が設けられている。第１のマウント部は、マスターレンズ装置を装着するためのマウント部である。第２のマウント部は、カメラ本体を装着するためのマウント部である。
【００２８】
また、本実施形態のコンバーターレンズは、テレコンバーターレンズとして機能する。そのため、コンバーターレンズ装置とマスターレンズ装置とで構成される光学系の焦点距離は、マスターレンズ装置における光学系の焦点距離よりも長くなる。
【００２９】
本実施形態のコンバーターレンズは、物体側から順に、正の屈折力を有する第１レンズ群と、負の屈折力を有する第２レンズ群と、第３レンズ群と、で構成されている。このような構成にすることで、第１レンズ群と第２レンズ群で球面収差やコマ収差を良好に補正することができる。
【００３０】
特に、第２レンズ群の屈折力を負の屈折力にすることで、マスターレンズ装置とカメラ本体との間の小さなスペースにコンバーターレンズを配置しながらも、コンバーターレンズの倍率を十分に確保することができる。コンバーターレンズの倍率は、例えば、１．４倍以上である。好ましくは、コンバーターレンズの倍率は、１．７倍以上、更には２倍以上が好ましい。
【００３１】
第１実施形態のコンバーターレンズ装置は、上述の基本構成を備えると共に、以下の条件式（１）を満たすことを特徴とする。
０．１＜｜ｆ｜／（β×Ｄ）＜０．８７      （１）
但し、
ｆは、コンバーターレンズ全系の焦点距離、
βは、コンバーターレンズの倍率、
Ｄは、コンバーターレンズの光軸上での厚み、
である。
【００３２】
条件式（１）はコンバーターレンズの全系の焦点距離を規定する条件式である。本実施形態のコンバーターレンズは、短いフランジバックを有するカメラシステムに対応するコンバーターレンズである。そのため、本実施形態のコンバーターレンズでは、必然的に各レンズ群の屈折力が大きくなってしまうが、その上で、十分な収差補正を行うことが必要となる。
【００３３】
しかしながら、収差補正のためにレンズ枚数を増やしてしまうと、コンバーターレンズの全長が長くなってしまう。この場合、コンパクトさを損なうだけでなく、所望の倍率を得ることが困難となってしまう。そこで、条件式（１）を満足することで、コンバーターレンズの全長を短くすると共に、大きな倍率を確保することができる。
【００３４】
条件式（１）の上限値を上回らないようにすることで、容易に、所望の倍率を確保することができる。条件式（１）の下限値を下回らないようにすることで、容易に、諸収差を補正することができる。
【００３５】
第２実施形態のコンバーターレンズ装置は、上述の基本構成を備えると共に、第２レンズ群は、物体側から順に、負の屈折力を有する物体側レンズ群と、負の屈折力を有する像側レンズ群と、を有し、以下の条件式（２）を満たすことを特徴とする。
１．７＜ｆ21／ｆ22＜１８      （２）
但し、
ｆ21は、物体側レンズ群の焦点距離、
ｆ22は、像側レンズ群の焦点距離、
である。
【００３６】
本実施形態のコンバーターレンズ装置では、第２レンズ群を物体側から順に、物体側レンズ群と像側レンズ群とに分割し、各レンズ群の屈折力を負の屈折力にしている。このようにすることで、第２レンズ群に大きな負の屈折力を持たせても、その屈折力を２つのレンズ群に分散することができるので、所望の拡大倍率を確保しつつ、第２レンズ群内の各レンズ面で発生する球面収差やコマ収差を低減できる。
【００３７】
また、第２レンズ群が全体として大きな屈折力を有していても、物体側レンズ群の屈折力と像側レンズ群の屈折力はそれほど大きくならない。そのため、偏心に対する影響を緩和できる。例えば、物体側レンズ群の組立ての際にレンズに偏心が生じても、収差の悪化を抑制することができる。像側レンズ群についても同様の効果が得られる。
【００３８】
更に、第２レンズ群の組立ての際に物体側レンズ群と像側レンズ群との間で偏心が生じても、第２レンズ群における収差の悪化を抑制することができる。このように、第２レンズ群を２つのレンズ群で構成すると偏心に対する許容量が大きくなるので、第２レンズ群の組立て性の改善も可能となる。
【００３９】
更に、第２レンズ群を２つのレンズ群で構成することで、第２レンズ群を構成するレンズの各面の屈折力を小さくできる。そのため、ゴースト等の不要光の発生を抑制することができる。第２レンズ群を２つのレンズ群で構成することは、特に、像側レンズ群の最も像側の面にて発生するゴーストの改善に有効である。
【００４０】
このように、第２レンズ群を２つのレンズ群で構成することで、良好な収差補正の達成、光学系の組立て性の改善、及びゴーストの発生の抑制が行える。
【００４１】
そして、本実施形態のコンバーターレンズ装置は、上述の条件式（２）を満たす。
【００４２】
条件式（２）の上限値を上回らないようにすることで、像側レンズ群の屈折力が大きくなりすぎない。これにより、第２レンズ群を２つのレンズ群で構成した効果が小さくなることを防ぐことができる。
【００４３】
条件式（２）の下限値を下回らないようにすることで、物体側レンズ群の屈折力が大きくなりすぎない。これにより、主点を物体側へ近づける効果が小さくなることを防ぐことができる。この場合、コンバーターレンズ全系の屈折力が大きくなりすぎないので、限られたレンズ枚数で収差を良好に補正することができる。
【００４４】
第３実施形態のコンバーターレンズ装置は、上述の基本構成を備えると共に、第２レンズ群は、物体側から順に、負の屈折力を有する物体側レンズ群と、負の屈折力を有する像側レンズ群と、を有し、物体側レンズ群と像側レンズ群は、共に接合レンズを有し、以下の条件式（２’）を満たすことを特徴とする。
０．６＜ｆ21／ｆ22＜１０      （２’）
但し、
ｆ21は、物体側レンズ群の焦点距離、
ｆ22は、像側レンズ群の焦点距離、
である。
【００４５】
上述のように、第２レンズ群を２つのレンズ群で構成することで、第２レンズ群内の各レンズ面で発生する球面収差やコマ収差の低減、偏心に対する影響の緩和（光学系の組立て性の改善）、及びゴーストの発生の抑制ができる。
【００４６】
特に、第２レンズ群の負の屈折力が大きい場合には、第１レンズ群との相対位置の精度が非常に厳しく、組立て時の難易度が高くなる。また、第１レンズ群と第２レンズ群でコマ収差の補正が行われているため、相対位置に誤差が発生すると、周辺部の性能が劣化し易い。このような意味においても、第２レンズ群を、物体側レンズ群と像側レンズ群とに分割することが好ましい。
【００４７】
更に、各レンズ面の屈折力を小さくできるため、第２レンズ群を２つのレンズ群で構成することは、ゴースト等の不要光の発生に対しても有利となる。第２レンズ群を２つのレンズ群で構成することは、特に、像側レンズ群の最も像側の面にて発生するゴーストの改善において有効である。
【００４８】
また、物体側レンズ群が接合レンズを有することで、球面収差やコマ収差の波長による違いを少なくすることができる。また、像側レンズ群が接合レンズを有することで、像側レンズ群の加工性や組み立て性を向上させることができる。
【００４９】
そして、本実施形態のコンバーターレンズ装置は、上述の条件式（２’）を満たす。条件式（２’）の技術的意義は、条件式（２）の技術的意義と同じである。
【００５０】
第４実施形態のコンバーターレンズ装置は、上述の基本構成を備えると共に、第２レンズ群は、物体側から順に、負の屈折力を有する物体側レンズ群と、負の屈折力を有する像側レンズ群と、を有し、物体側レンズ群と像側レンズ群は、共に接合レンズを有し、物体側レンズ群の最も物体側の面と像側レンズ群の最も物体側の面は、共に物体側に凹面を向けていることを特徴とする。
【００５１】
上述の基本構成では、第１レンズ群で発生する負の球面収差を、第２レンズ群にて発生する正の球面収差で補正している。ここで、第２レンズ群にて発生する正の球面収差には、特に、第２レンズ群の最も物体側の面の形状が大きく寄与する。第２レンズ群を物体側レンズ群と像側レンズ群とで構成した場合、第２レンズ群の最も物体側の面には、物体側レンズ群の最も物体側の面が該当する。
【００５２】
そこで、物体側レンズ群の最も物体側の面と像側レンズ群の最も物体側の面を、共に物体側に凹面を向けるようにする。このようにすることで、第２レンズ群にて発生する正の球面収差を、２つの面に分散させて発生させることができる。これにより、所望の拡大倍率を確保しつつ、第２レンズ群にて発生する正の球面収差の量が、大きくなりすぎないようにすることができる。
【００５３】
上述のように、第１レンズ群では負の球面収差が発生する。そこで、第２レンズ群にて発生する正の球面収差を分散させて発生させることで、この負の球面収差の相殺に必要となる量の正の球面収差を、第２レンズ群にて発生させることができる。
【００５４】
また、物体側レンズ群の最も物体側の面と像側レンズ群の最も物体側の面を、共に物体側に凹面を向けることで、各レンズ面で発生する諸収差、特に球面収差や色収差が小さくなるので、良好な収差補正が可能となる。さらに、偏心に対する影響を低減できるので、良好な組立て性を実現することが可能となる。
【００５５】
第５実施形態のコンバーターレンズ装置は、上述の基本構成を備えると共に、第２レンズ群は、物体側から順に、負の屈折力を有する物体側レンズ群と、負の屈折力を有する像側レンズ群と、を有し、物体側レンズ群の最も物体側の面は、物体側に凹面を向けており、像側レンズ群は、３枚のレンズで構成された接合レンズを有することを特徴とする。
【００５６】
上述のように、像側レンズ群が接合レンズを有することで、像側レンズ群の加工性や組み立て性を向上させることができる。更に、接合レンズを３枚のレンズで構成された接合レンズにすることで、諸収差を良好に補正することができる。諸収差をより良好に補正するためには、特に、接合レンズを、負レンズ、正レンズ及び負レンズの３枚のレンズで構成することが好ましい。
【００５７】
第６実施形態のコンバーターレンズ装置は、上述の基本構成を備えると共に、第２レンズ群は、物体側から順に、負の屈折力を有する物体側レンズ群と、負の屈折力を有する像側レンズ群と、を有し、像側レンズ群は、３枚のレンズで構成された接合レンズを有し、以下の条件式（４）を満たすことを特徴とする。
−２．０＜（ｒ21f＋ｒ21r）／（ｒ21f−ｒ21r）＜２．０      （４）
但し、
ｒ21fは、物体側レンズ群の最も物体側の面の曲率半径、
ｒ21rは、物体側レンズ群の最も像側の面の曲率半径、
である。
【００５８】
上述のように、像側レンズ群が３枚のレンズで構成された接合レンズを有することで、像側レンズ群の加工性や組み立て性を向上させると共に、諸収差をより良好に補正することができる。
【００５９】
条件式（４）は、物体側レンズ群の形状に関する条件式である。条件式（４）の上限値を上回らないようにするか、下限値を下回らないようにすることで、更に諸収差を良好に補正することができる。
【００６０】
第７実施形態のコンバーターレンズ装置は、上述の基本構成を備えると共に、第２レンズ群は、物体側から順に、負の屈折力を有する物体側レンズ群と、負の屈折力を有する像側レンズ群と、を有し、物体側レンズ群は、接合レンズを有し、第３レンズ群は、接合レンズを有することを特徴とする。
【００６１】
上述のように、物体側レンズ群が接合レンズを有することで、球面収差やコマ収差の波長による違いを少なくすることができる。
【００６２】
第３レンズ群が接合レンズを有することで、倍率色収差の発生を抑制することができる。第３レンズ群の接合レンズを正レンズと負レンズにて構成することで、接合面における軸外光線の入射角を小さくすることができる。その結果、倍率色収差をより良好に補正することができる。第３レンズ群の接合レンズを正レンズと負レンズにて構成することは、倍率色収差の補正に有利となっている。
【００６３】
第８実施形態のコンバーターレンズ装置は、上述の基本構成を備えると共に、第１レンズ群は、接合レンズを有し、第２レンズ群は、物体側から順に、負の屈折力を有する物体側レンズ群と、負の屈折力を有する像側レンズ群と、を有し、像側レンズ群は、接合レンズを有することを特徴とする。
【００６４】
第１レンズ群が接合レンズを有することで、色収差を良好に補正することができる。
【００６５】
ここで、第１レンズ群の接合レンズを、負レンズと正レンズにて構成しても良い。このようにすることで、接合面における軸上光線の入射角を小さくすることができる。その結果、球面収差の波長の違いによる変化を小さくすることができる。
【００６６】
第９実施形態のコンバーターレンズ装置は、上述の基本構成を備えると共に、第２レンズ群は、物体側から順に、負の屈折力を有する物体側レンズ群と、負の屈折力を有する像側レンズ群と、を有し、像側レンズ群は、接合レンズを有し、以下の条件式（８）を満たすことを特徴とする。
−２．４＜ｆ3／ｆ＜−０．７５      （８）
但し、
ｆ3は、第３レンズ群の焦点距離、
ｆは、コンバーターレンズ全系の焦点距離、
である。
【００６７】
上述のように、像側レンズ群が接合レンズを有することで、像側レンズ群の加工性や組み立て性を向上させることができる。
【００６８】
条件式（８）の上限値を上回らないようにすることで、第３レンズ群の屈折力が大きくなりすぎない。この場合、必然的に第２レンズ群の屈折力も大きくする必要がなくなるので、諸収差の発生を抑制することができる。
【００６９】
条件式（８）の下限値を下回らないようにすることで、第３レンズ群から射出する軸外光線（主光線）の射出角が大きくなりすぎない。そのため、撮像素子へ入射する光線の入射角を、撮像素子の入射特性を満足する角度にすることができる。
【００７０】
第１０実施形態のコンバーターレンズ装置は、上述の基本構成を備えると共に、第１レンズ群は、接合レンズを有し、第２レンズ群は、物体側から順に、負の屈折力を有する物体側レンズ群と、負の屈折力を有する像側レンズ群と、を有し、以下の条件式（８’）を満たすことを特徴とする。
−２．４＜ｆ3／ｆ＜−１．０      （８’）
但し、
ｆ3は、第３レンズ群の焦点距離、
ｆは、コンバーターレンズ全系の焦点距離、
である。
【００７１】
上述のように、第１レンズ群が接合レンズを有することで、色収差を良好に補正することができる。条件式（８’）の技術的意義は、条件式（８）の技術的意義と同じである。
【００７２】
また、第１実施形態のコンバーターレンズ装置から第１０実施形態のコンバーターレンズ装置（以下、「本実施形態のコンバーターレンズ装置」という）は、上述の条件式（１）を満たすことが望ましい。
【００７３】
条件式（１）の技術的意義は既に説明したので、ここでの説明は省略する。
【００７４】
また、本実施形態のコンバーターレンズ装置では、第２レンズ群は、物体側から順に、負の屈折力を有する物体側レンズ群と、負の屈折力を有する像側レンズ群と、を有し、上述の条件式（２）又は（２’）を満たすことが望ましい。
【００７５】
条件式（２）の技術的意義は既に説明したので、ここでの説明は省略する。
【００７６】
また、本実施形態のコンバーターレンズ装置は、以下の条件式（３）を満たすことが望ましい。
０．３＜ｆ23／ｆ＜０．９      （３）
但し、
ｆ23は、第２レンズ群と第３レンズ群の合成焦点距離、
ｆは、コンバーターレンズ全系の焦点距離、
である。
【００７７】
第２レンズ群と第３レンズ群の合成焦点距離は負の値を持つので、第２レンズ群と第３レンズ群の合成屈折力は負の屈折力である。この場合、コンバーターレンズ全系の主点を物体側へ近づけることができる。そのため、コンバーターレンズ全系の屈折力を適切に保つことが可能となる。その結果、少ないレンズ枚数で良好な収差補正を実現することができる。
【００７８】
条件式（３）の上限値を上回らないようにすることで、コンバーターレンズの全長が長くならないようにすることができる。条件式（３）の下限値を下回らないようにすることで、コンバーターレンズ全系の屈折力が大きくならないようにすることができる。その結果、球面収差の悪化やレンズ枚数の増加を抑えることができる。
【００７９】
また、本実施形態のコンバーターレンズ装置では、第２レンズ群は、負の屈折力を有する物体側レンズ群を有し、以下の条件式（４）を満たすことが望ましい。
−２．０＜（ｒ21f＋ｒ21r）／（ｒ21f−ｒ21r）＜２．０      （４）
但し、
ｒ21fは、物体側レンズ群の最も物体側の面の曲率半径、
ｒ21rは、物体側レンズ群の最も像側の面の曲率半径、
である。
【００８０】
条件式（４）の技術的意義は既に説明したので、ここでの説明は省略する。
【００８１】
また、本実施形態のコンバーターレンズ装置では、第２レンズ群は、負の屈折力を有する像側レンズ群を有し、以下の条件式（５）を満たすことが望ましい。
−２．０＜（ｒ22f＋ｒ22r）／（ｒ22f−ｒ22r）＜０      （５）
但し、
ｒ22fは、像側レンズ群の最も物体側の面の曲率半径、
ｒ22rは、像側レンズ群の最も像側の面の曲率半径、
である。
【００８２】
条件式（５）は、像側レンズ群の形状に関する条件式である。条件式（５）の上限値を上回らないようにするか、下限値を下回らないようにすることで、良好な収差補正ができる。
【００８３】
また、条件式（５）の上限値を上回らないようにすることで、像側レンズ群の最も像側の面でのゴーストの発生を顕著に抑制できる。よって、条件式（５）の上限値を上回らないようにすることが好ましい。
【００８４】
また、本実施形態のコンバーターレンズ装置では、第２レンズ群は、負の屈折力を有する像側レンズ群を有し、以下の条件式（６）を満たすことが望ましい。
１．７５＜ｎｄ22N＜２．００      （６）
但し、
ｎｄ22Nは、像側レンズ群に含まれる負レンズのｄ線での屈折率の平均値、
である。
【００８５】
条件式（６）は、像側レンズ群に含まれる負レンズの屈折率に関する条件式である。像側レンズ群では、軸上光線が低くなっている。像側レンズ群に含まれる負レンズは、大きな屈折力を持つ場合、負レンズの屈折率の値を適切に設定することで、像面湾曲の悪化を防止することができる。
【００８６】
条件式（６）の下限値を下回らないようにすることで、像面湾曲の悪化を防止することができる。よって、条件式（６）の下限値を下回らないようにすることが好ましい。条件式（６）の上限値を上回らないようにすることで、硝材のコストアップを防ぐことができる。よって、条件式（６）の上限値を上回らないようにすることが好ましい。
【００８７】
また、本実施形態のコンバーターレンズ装置では、第２レンズ群は、負の屈折力を有する像側レンズ群を有し、以下の条件式（７）を満たすことが望ましい。
２５＜νｄ22N＜５０      （７）
但し、
νｄ22Nは、像側レンズ群に含まれる負レンズのｄ線基準のアッベ数の平均値、
である。
【００８８】
条件式（７）は、像側レンズ群に含まれる負レンズのアッベ数に関する条件式である。像側レンズ群に含まれる負レンズは、いずれも大きな屈折力を持つレンズであるから、負レンズのアッベ数の値を適切にしなければ、色収差の悪化を招くことになる。
【００８９】
条件式（７）の下限値を下回らないようにすることで、色収差の悪化を防止することができる。よって、条件式（７）の下限値を下回らないようにすることが好ましい。条件式（７）の上限値を上回らないようにすることで、屈折率が低くなりすぎないので、一般的に存在する硝材を使用することができる。その結果、像面湾曲と色収差の補正を両立させることができる。
【００９０】
また、本実施形態のコンバーターレンズ装置では、第２レンズ群は、物体側から順に、負の屈折力を有する物体側レンズ群と、像側レンズ群と、を有することが望ましい。
【００９１】
第２レンズ群を２つのレンズ群で構成することで、良好な収差補正の達成、光学系の組立て性の改善、及びゴーストの発生の抑制が行える。
【００９２】
また、本実施形態のコンバーターレンズ装置では、第２レンズ群は、物体側から順に、物体側レンズ群と、負の屈折力を有する像側レンズ群と、を有することが望ましい。
【００９３】
第２レンズ群を２つのレンズ群で構成することで、良好な収差補正の達成、光学系の組立て性の改善、及びゴーストの発生の抑制が行える。
【００９４】
また、本実施形態のコンバーターレンズ装置では、第２レンズ群は、負の屈折力を有する物体側レンズ群を有し、物体側レンズ群の最も物体側の面は、物体側に凹面を向けていることが望ましい。
【００９５】
このようにすることで、第１レンズ群および第２レンズ群における球面収差の発生を抑制できる。
【００９６】
また、本実施形態のコンバーターレンズ装置では、第２レンズ群は、負の屈折力を有する像側レンズ群を有し、像側レンズ群の最も物体側の面は、物体側に凹面を向けていることが望ましい。
【００９７】
このようにすることで、第１レンズ群および第２レンズ群における球面収差の発生を抑制できる。
【００９８】
また、本実施形態のコンバーターレンズ装置では、第２レンズ群は、負の屈折力を有する物体側レンズ群を有し、物体側レンズ群は、接合レンズを有することが望ましい。
【００９９】
このようにすることで、球面収差やコマ収差の波長による違いを少なくすることができる。
【０１００】
また、本実施形態のコンバーターレンズ装置では、第２レンズ群は、負の屈折力を有する像側レンズ群を有し、像側レンズ群は、接合レンズを有することが望ましい。
【０１０１】
このようにすることで、像側レンズ群の加工性や組み立て性を向上させることができる。
【０１０２】
また、本実施形態のコンバーターレンズ装置では、第２レンズ群は、負の屈折力を有する像側レンズ群を有し、像側レンズ群は、３枚のレンズで構成された接合レンズを有することが望ましい。
【０１０３】
このようにすることで、像側レンズ群の加工性や組み立て性を向上させると共に、諸収差をより良好に補正することができる。
【０１０４】
また、本実施形態のコンバーターレンズ装置では、第１レンズ群は接合レンズを有することが望ましい。
【０１０５】
このようにすることで、色収差を良好に補正することができる。
【０１０６】
また、本実施形態のコンバーターレンズ装置では、第３レンズ群は正の屈折力を有することが望ましい。
【０１０７】
コンバーターレンズを、正の屈折力を有する第１レンズ群、負の屈折力を有する第２レンズ群、及び正の屈折力を有する第３レンズ群にて構成することにより、第１レンズ群と第２レンズ群にて球面収差やコマ収差を良好に補正し、第２レンズ群と第３レンズ群にて歪曲収差を良好に補正することができる。また、第３レンズ群の正屈折力によって、コンバーターレンズから射出する軸外光線（主光線）の射出角が大きくなりすぎない。そのため、像面に配置された撮像素子へ入射する光線の入射角を小さくすることができる。
【０１０８】
本実施形態のコンバーターレンズ装置は、以下の条件式（８）を満たすことが望ましい。
−２．４＜ｆ3／ｆ＜−０．７５      （８）
但し、
ｆ3は、第３レンズ群の焦点距離、
ｆは、コンバーターレンズ全系の焦点距離、
である。
【０１０９】
条件式（８）の技術的意義は既に説明したので、ここでの説明は省略する。
【０１１０】
また、本実施形態のコンバーターレンズ装置では、第３レンズ群は接合レンズを有することが望ましい。
【０１１１】
このようにすることで、倍率色収差の発生を抑制することができる。
【０１１２】
また、本実施形態のコンバーターレンズ装置では、第１レンズ群は、物体側に凸面を向けた負メニスカスレンズと、両凸正レンズと、からなることが望ましい。
【０１１３】
このようにすることで、第１レンズ群で発生し易い色収差を良好に補正することができる。また、両凸正レンズを用いることで、各レンズ面に入射する光線の入射角度を、適性にすることができる。
【０１１４】
また、本実施形態のコンバーターレンズ装置では、第３レンズ群は、両凸正レンズと、像側に凸面を向けた負メニスカスレンズと、からなることが望ましい。
【０１１５】
このようにすることで、軸外光線の入射角を小さくすることができるので、諸収差の発生を抑えることができる。
【０１１６】
また、本実施形態のコンバーターレンズ装置は、以下の条件式（９）を満たすことが望ましい。
−５．０＜ｆ1／ｆ23＜−１．０      （９）
但し、
ｆ1は、第１レンズ群の焦点距離、
ｆ23は、第２レンズ群と第３レンズ群の合成焦点距離、
である。
【０１１７】
テレセントリック光学系では、光学系から射出する主光線が光軸に平行となるという効果が得られる。条件式（９）の上限値を上回らないようにすることで、テレセントリック光学系における効果を、本実施形態のコンバーターレンズでも十分に得ることができると共に、光学系の全長が長くなることを抑制できる。
【０１１８】
条件式（９）の下限値を下回らないようにすることで、第２レンズ群と第３レンズ群における諸収差の発生の増大を抑制できる。
【０１１９】
また、本実施形態のコンバーターレンズ装置は、以下の条件式（１０）を満たすことが望ましい。
−３．０＜ｆ1／ｆ＜−１．０      （１０）
但し、
ｆ1は、第１レンズ群の焦点距離、
ｆは、コンバーターレンズ全系の焦点距離、
である。
【０１２０】
条件式（１０）の上限値を上回らないようにすることで、第１レンズ群における収差の発生の増大を抑制できる。条件式（１０）の下限値を下回らないようにすることで、コンバーターレンズの外径の増大を抑制できる。
【０１２１】
また、本実施形態のコンバーターレンズ装置は、以下の条件式（１１）を満たすことが望ましい。
０．２＜ｆ2／ｆ＜０．６      （１１）
但し、
ｆ2は、第２レンズ群の焦点距離、
ｆは、コンバーターレンズ全系の焦点距離、
である。
【０１２２】
条件式（１１）の上限値を上回らないようにすることで、光学系の全長が長くなることを抑制できる。（１１）の下限値を下回らないようにすることで、第２レンズ群における収差の発生の増大を抑制できる。
【０１２３】
また、本実施形態のコンバーターレンズ装置では、物体側レンズ群の負の屈折力よりも像側レンズ群の負の屈折力を大きくすることが望ましい。
【０１２４】
このようにすることで、コンバーターレンズ全系における主点をできるだけ物体側へ近づけさせることができる。その結果、コンバーターレンズ全系の屈折力を小さくできるので、諸収差を良好に補正することができる。このように、像側レンズ群の負の屈折力を大きくすることは、収差補正の観点でも有利になる。
【０１２５】
また、本実施形態の撮影システムは、マスターレンズ装置と、撮像素子を有するカメラ本体と、マスターレンズ装置とカメラ本体との間に装着可能なコンバーターレンズ装置と、を有し、マスターレンズ装置とコンバーターレンズ装置とで構成される光学系により、物体の像が形成され、撮像素子は物体の像位置に配置されると共に、物体の像を電気信号に変換し、コンバーターレンズ装置が、上述のいずれかのコンバーターレンズを有することを特徴とする。
【０１２６】
本実施形態の撮影システムによれば、フランジバックが短い新しいカメラシステムにおいても、十分な拡大倍率で、高画質の画像を取得することができる。
【０１２７】
なお、上述の各構成は、複数の構成を同時に満足してもよい。このようにすることが、良好な複数の撮像光学系を得る上で好ましい。また、好ましい構成の組み合わせは任意である。また、各条件式について、より限定した条件式の数値範囲の上限値あるいは下限値のみを限定しても構わない。
【０１２８】
また、各条件式について、以下のように下限値、または上限値を変更しても良い、このようにすることで、各条件式の効果を一層確実にできるので好ましい。
【０１２９】
条件式（１）については、以下のようにすることが好ましい。
下限値を０．２２、０．３０、０．３４、更には０．４５とすることがより好ましい。
上限値を０．８２、０．７８、０．７５、更には０．７３とすることがより好ましい。
条件式（２）については、以下のようにすることが好ましい。
下限値を１．９５０とすることがより好ましい。
上限値を１４．６３、１１．２６、１０．０、更には７．８９とすることがより好ましい。
条件式（２’）については、以下のようにすることが好ましい。
下限値を１．０５、１．５、１．７更には１．９５とすることがより好ましい。
上限値を７．８９、７．０、６．０更には５．０とすることがより好ましい。
条件式（３）については、以下のようにすることが好ましい。
下限値を０．３７、０．４３、更には０．５０とすることがより好ましい。
上限値を０．８４、０．７９、更には０．７３とすることがより好ましい。
条件式（４）については、以下のようにすることが好ましい。
下限値を−１．６３、−１．２６、更には−０．８９とすることがより好ましい。
上限値を１．６１、１．２３、更には０．８４とすることがより好ましい。
条件式（５）については、以下のようにすることが好ましい。
下限値を−１．８０、−１．５９、更には−１．３９とすることがより好ましい。
上限値を−０．０８１、−０．１６、更には−０．２４とすることがより好ましい。
条件式（６）については、以下のようにすることが好ましい。
下限値を１．７７、１．８、更には１．８２とすることがより好ましい。
上限値を１．９７、１．９４、更には１．９１とすることがより好ましい。
条件式（７）については、以下のようにすることが好ましい。
下限値を２６．５、２７．９、更には２９．４とすることがより好ましい。
上限値を４８．４、４６．８、更には４５．３とすることがより好ましい。
条件式（８）については、以下のようにすることが好ましい。
下限値を−２．３、−２．２、更には−２．０とすることがより好ましい。
上限値を−０．８４、−０．９３、更には−１．０とすることがより好ましい。
条件式（８’）については、以下のようにすることが好ましい。
下限値を−２．３、−２．２、更には−２．０とすることがより好ましい。
上限値を−１．０とすることがより好ましい。
条件式（９）については、以下のようにすることが好ましい。
下限値を−４．６、−４．２、更には−３．８とすることがより好ましい。
上限値を−１．４、−１．８、更には−２．２とすることがより好ましい。
条件式（１０）については、以下のようにすることが好ましい。
下限値を−２．８、−２．６、更には−２．５とすることがより好ましい。
上限値を−１．１、−１．３、更には−１．４とすることがより好ましい。
条件式（１１）については、以下のようにすることが好ましい。
下限値を０．２３、０．２７、更には０．３０とすることがより好ましい。
上限値を０．５７、０．５５、更には０．５２とすることがより好ましい。
【０１３０】
コンバーターレンズの実施例を、図面に基づいて詳細に説明する。なお、この実施例によりこの発明が限定されるものではない。
【０１３１】
以下、コンバーターレンズの実施例１〜６について説明する。実施例１〜６のレンズ断面図を、それぞれ図１〜図６に示す。各実施例において、第１レンズ群はＧ１、第２レンズ群はＧ２、第３レンズ群はＧ３、像面はＩで示してある。
【０１３２】
第３レンズ群Ｇ３と像面Ｉとの間に、ローパスフィルタを構成する平行平板や、電子撮像素子のカバーガラスが配置されていても良い。平行平板の表面に、赤外光を制限する波長域制限コートを施しても良い。また、カバーガラスの表面に波長域制限用の多層膜を施してもよい。また、そのカバーガラスにローパスフィルタ作用を持たせるようにしてもよい。各実施例では、カバーガラスＣＧが配置されている。
【０１３３】
また、各実施例において、像面Ｉは、マスターレンズとコンバーターレンズを組み合わせたときの像面を示している。像面Ｉには、撮像素子が配置されている。
【０１３４】
実施例１のコンバーターレンズは、図１に示すように、物体側から順に、正屈折力の第１レンズ群Ｇ１と、負屈折力の第２レンズ群Ｇ２と、正屈折力の第３レンズ群Ｇ３と、で構成されている。
【０１３５】
第１レンズ群Ｇ１は、物体側に凸面を向けた負メニスカスレンズＬ１と、両凸正レンズＬ２と、で構成されている。ここで、負メニスカスレンズＬ１と両凸正レンズＬ２とが接合されている。
【０１３６】
第２レンズ群Ｇ２は、像側に凸面を向けた正メニスカスレンズＬ３と、両凹負レンズＬ４と、両凹負レンズＬ５と、両凸正レンズＬ６と、両凹負レンズＬ７と、で構成されている。ここで、正メニスカスレンズＬ３と両凹負レンズＬ４とが接合されている。また、両凹負レンズＬ５、両凸正レンズＬ６及び両凹負レンズＬ７が接合されている。
【０１３７】
第２レンズ群Ｇ２は、負屈折力の物体側レンズ群と、負屈折力の像側レンズ群と、で構成されている。物体側レンズ群は、正メニスカスレンズＬ３と両凹負レンズＬ４とで構成されている。像側レンズ群は、両凹負レンズＬ５、両凸正レンズＬ６及び両凹負レンズＬ７で構成されている。
【０１３８】
第３レンズ群Ｇ３は、両凸正レンズＬ８と、像側に凸面を向けた負メニスカスレンズＬ９と、で構成されている。ここで、両凸正レンズＬ８と負メニスカスレンズＬ９とが接合されている。
【０１３９】
実施例２のコンバーターレンズは、図２に示すように、物体側から順に、正屈折力の第１レンズ群Ｇ１と、負屈折力の第２レンズ群Ｇ２と、正屈折力の第３レンズ群Ｇ３と、で構成されている。
【０１４０】
第１レンズ群Ｇ１は、物体側に凸面を向けた負メニスカスレンズＬ１と、両凸正レンズＬ２と、で構成されている。ここで、負メニスカスレンズＬ１と両凸正レンズＬ２とが接合されている。
【０１４１】
第２レンズ群Ｇ２は、像側に凸面を向けた正メニスカスレンズＬ３と、両凹負レンズＬ４と、両凹負レンズＬ５と、両凸正レンズＬ６と、像側に凸面を向けた負メニスカスレンズＬ７と、で構成されている。ここで、正メニスカスレンズＬ３と両凹負レンズＬ４とが接合されている。また、両凹負レンズＬ５、両凸正レンズＬ６及び負メニスカスレンズＬ７が接合されている。
【０１４２】
第２レンズ群Ｇ２は、負屈折力の物体側レンズ群と、負屈折力の像側レンズ群と、で構成されている。物体側レンズ群は、正メニスカスレンズＬ３と両凹負レンズＬ４とで構成されている。像側レンズ群は、両凹負レンズＬ５、両凸正レンズＬ６及び負メニスカスレンズＬ７で構成されている。
【０１４３】
第３レンズ群Ｇ３は、両凸正レンズＬ８と、像側に凸面を向けた負メニスカスレンズＬ９と、で構成されている。ここで、両凸正レンズＬ８と負メニスカスレンズＬ９とが接合されている。
【０１４４】
実施例３のコンバーターレンズは、図３に示すように、物体側から順に、正屈折力の第１レンズ群Ｇ１と、負屈折力の第２レンズ群Ｇ２と、正屈折力の第３レンズ群Ｇ３と、で構成されている。
【０１４５】
第１レンズ群Ｇ１は、物体側に凸面を向けた負メニスカスレンズＬ１と、両凸正レンズＬ２と、で構成されている。ここで、負メニスカスレンズＬ１と両凸正レンズＬ２とが接合されている。
【０１４６】
第２レンズ群Ｇ２は、像側に凸面を向けた正メニスカスレンズＬ３と、両凹負レンズＬ４と、両凹負レンズＬ５と、両凸正レンズＬ６と、像側に凸面を向けた負メニスカスレンズＬ７と、で構成されている。ここで、正メニスカスレンズＬ３と両凹負レンズＬ４とが接合されている。また、両凹負レンズＬ５、両凸正レンズＬ６及び負メニスカスレンズＬ７が接合されている。
【０１４７】
第２レンズ群Ｇ２は、負屈折力の物体側レンズ群と、負屈折力の像側レンズ群と、で構成されている。物体側レンズ群は、正メニスカスレンズＬ３と両凹負レンズＬ４とで構成されている。像側レンズ群は、両凹負レンズＬ５、両凸正レンズＬ６及び負メニスカスレンズＬ７で構成されている。
【０１４８】
第３レンズ群Ｇ３は、両凸正レンズＬ８と、像側に凸面を向けた負メニスカスレンズＬ９と、で構成されている。ここで、両凸正レンズＬ８と負メニスカスレンズＬ９とが接合されている。
【０１４９】
実施例４のコンバーターレンズは、図４に示すように、物体側から順に、正屈折力の第１レンズ群Ｇ１と、負屈折力の第２レンズ群Ｇ２と、正屈折力の第３レンズ群Ｇ３と、で構成されている。
【０１５０】
第１レンズ群Ｇ１は、物体側に凸面を向けた負メニスカスレンズＬ１と、両凸正レンズＬ２と、で構成されている。ここで、負メニスカスレンズＬ１と両凸正レンズＬ２とが接合されている。
【０１５１】
第２レンズ群Ｇ２は、両凹負レンズＬ３と、物体側に凸面を向けた正メニスカスレンズＬ４と、両凹負レンズＬ５と、両凸正レンズＬ６と、像側に凸面を向けた負メニスカスレンズＬ７と、で構成されている。ここで、両凹負レンズＬ３と正メニスカスレンズＬ４とが接合されている。また、両凹負レンズＬ５、両凸正レンズＬ６及び負メニスカスレンズＬ７が接合されている。
【０１５２】
第２レンズ群Ｇ２は、負屈折力の物体側レンズ群と、負屈折力の像側レンズ群と、で構成されている。物体側レンズ群は、両凹負レンズＬ３と正メニスカスレンズＬ４とで構成されている。像側レンズ群は、両凹負レンズＬ５、両凸正レンズＬ６及び負メニスカスレンズＬ７で構成されている。
【０１５３】
第３レンズ群Ｇ３は、両凸正レンズＬ８と、像側に凸面を向けた負メニスカスレンズＬ９と、で構成されている。ここで、両凸正レンズＬ８と負メニスカスレンズＬ９とが接合されている。
【０１５４】
実施例５のコンバーターレンズは、図５に示すように、物体側から順に、正屈折力の第１レンズ群Ｇ１と、負屈折力の第２レンズ群Ｇ２と、正屈折力の第３レンズ群Ｇ３と、で構成されている。
【０１５５】
第１レンズ群Ｇ１は、物体側に凸面を向けた負メニスカスレンズＬ１と、両凸正レンズＬ２と、で構成されている。ここで、負メニスカスレンズＬ１と両凸正レンズＬ２とが接合されている。
【０１５６】
第２レンズ群Ｇ２は、両凹負レンズＬ３と、両凸正レンズＬ４と、両凹負レンズＬ５と、で構成されている。ここで、両凹負レンズＬ３、両凸正レンズＬ４及び両凹負レンズＬ５が接合されている。
【０１５７】
第２レンズ群Ｇ２は、負屈折力の像側レンズ群のみで構成されている。像側レンズ群は、両凹負レンズＬ３、両凸正レンズＬ４及び両凹負レンズＬ５で構成されている。
【０１５８】
第３レンズ群Ｇ３は、両凸正レンズＬ６と、両凹負レンズＬ７と、で構成されている。ここで、両凸正レンズＬ６と両凹負レンズＬ７とが接合されている。
【０１５９】
実施例６のコンバーターレンズは、図６に示すように、物体側から順に、正屈折力の第１レンズ群Ｇ１と、負屈折力の第２レンズ群Ｇ２と、正屈折力の第３レンズ群Ｇ３と、で構成されている。
【０１６０】
第１レンズ群Ｇ１は、物体側に凸面を向けた負メニスカスレンズＬ１と、両凸正レンズＬ２と、で構成されている。ここで、負メニスカスレンズＬ１と両凸正レンズＬ２とが接合されている。
【０１６１】
第２レンズ群Ｇ２は、両凹負レンズＬ３と、両凹負レンズＬ４と、両凸正レンズＬ５と、両凹負レンズＬ６と、で構成されている。ここで、両凹負レンズＬ４、両凸正レンズＬ５及び両凹負レンズＬ６が接合されている。
【０１６２】
第２レンズ群Ｇ２は、負屈折力の物体側レンズ群と、負屈折力の像側レンズ群と、で構成されている。物体側レンズ群は、両凹負レンズＬ３で構成されている。像側レンズ群は、両凹負レンズＬ４、両凸正レンズＬ５及び両凹負レンズＬ６で構成されている。
【０１６３】
第３レンズ群Ｇ３は、両凸正レンズＬ７と、像側に凸面を向けた負メニスカスレンズＬ８と、で構成されている。ここで、両凸正レンズＬ７と負メニスカスレンズＬ８とが接合されている。
【０１６４】
次に、マスターレンズの例について説明する。マスターレンズのレンズ断面図を図１３示す。
【０１６５】
マスターレンズは、図１３に示すように、物体側に、凸面を向けた負メニスカスレンズと両凸正レンズとからなる接合レンズと、物体側に凸面を向けた正メニスカスレンズと、像側に凸面を向けた正メニスカスレンズ、両凹負レンズ及び物体側に凸面を向けた正メニスカスレンズからなる接合レンズと、両凹負レンズと、開口絞りと、両凸正レンズと、物体側に凸面を向けた負メニスカスレンズと両凸正レンズとからなる接合レンズと、両凸正レンズと、両凸正レンズと両凹負レンズとからなる接合レンズと、両凹負レンズと、両凸正レンズと平凹負レンズとからなる接合レンズと、で構成されている。
【０１６６】
また、マスターレンズとコンバーターレンズを組み合わせたときのレンズ断面図を図１４に示す。図１４では、実施例１のコンバーターレンズが用いられている。図１４では、ｒ１からｒ２７までがマスターレンズで、ｒ２８からｒ４０までがコンバーターレンズである。
【０１６７】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数である。また、ｆは光学系の焦点距離、ＦＮＯ．はＦナンバー、ωは半画角、ＩＨは像高、βは倍率、ＢＦはバックフォーカス、全長は光学系の全長である。ＢＦは、レンズ最終面から近軸像面までの距離を空気換算して表したものである。全長は、最も物体側のレンズ面から最も像側のレンズ面までの距離に、バックフォーカスを加えたものである。これらは、マスターレンズとコンバーターレンズとを組み合わせたときのものである。
【０１６８】
数値実施例１
単位  ｍｍ
面データ
面番号     r             d          nd        νd
1       65.1918       1.0000     1.88300    40.76
2       17.2989       6.3400     1.67270    32.10
3      -41.2599       0.7400
4     -112.3560       3.4900     1.59270    35.31
5      -28.4752       1.0000     1.88300    40.76
6      130.5475       2.0000
7      -50.9966       1.0000     1.88300    40.76
8       29.0155       6.4100     1.59270    35.31
9      -19.7607       1.0000     1.88300    40.76
10      99.9691       0.2000
11      23.7389       6.7300     1.59270    35.31
12     -23.7389       1.3900     1.92286    18.90
13     -67.9266      12.3234
14        ∞          4.0000     1.51633    64.14
15        ∞          0.8000
像面
マスターレンズとの間隔 = 3.2632
各種データ（無限）
ｆ              249.93
ＦＮＯ．          4.95
２ω              5.03°
ＩＨ             10.82
β                1.70
ＢＦ(空気中)     15.76
全長(空気中)    200.72
【０１６９】
数値実施例２
単位  ｍｍ
面データ
面番号     r             d          nd        νd
1       84.7892       1.0000     1.83481    42.73
2       15.8489       6.6200     1.59270    35.31
3      -32.3018       0.8000
4      -71.3421       3.1300     1.59270    35.31
5      -35.0798       1.0000     1.72916    54.68
6      160.6126       2.0800
7      -40.0219       1.0000     1.81600    46.62
8       23.6378       6.5200     1.59270    35.31
9      -17.2941       1.0000     1.88300    40.76
10    -475.2016       0.2000
11      24.1647       6.1000     1.59270    35.31
12     -24.1647       1.3000     1.92286    20.88
13    -109.0509      21.7191
14        ∞          4.0000     1.51633    64.14
15        ∞          0.8000
像面
マスターレンズとの間隔 = 2.2632
各種データ（無限）
ｆ              294.03
ＦＮＯ．          5.76
２ω              4.27°
ＩＨ             10.82
β                2.00
ＢＦ(空気中)     25.16
全長(空気中)    208.57
【０１７０】
数値実施例３
単位  ｍｍ
面データ
面番号     r             d          nd        νd
1       87.2894       1.0000     1.83481    42.73
2       17.1399       6.4100     1.59270    35.31
3      -35.4760       0.7600
4      -73.2984       3.1800     1.59270    35.31
5      -33.9580       1.0000     1.59282    68.63
6      204.4691       1.9500
7      -46.5721       1.0000     1.88300    40.76
8       21.4391       6.6800     1.59270    35.31
9      -18.6368       1.0000     1.88300    40.76
10   -1885.0868       0.2000
11      23.4145       6.2700     1.59270    35.31
12     -23.4145       1.3000     1.92119    23.96
13    -158.1720      22.5769
14        ∞          4.0000     1.51633    64.14
15        ∞          0.8000
像面
マスターレンズとの間隔 = 1.2632
各種データ（無限）
ｆ              293.86
ＦＮＯ．          5.76
２ω              4.26°
ＩＨ             10.82
β                2.00
ＢＦ(空気中)     26.01
全長(空気中)    208.43
【０１７１】
数値実施例４
単位  ｍｍ
面データ
面番号     r             d          nd        νd
1       92.3720       1.0000     1.83481    42.71
2       15.8334       6.7500     1.59270    35.31
3      -30.7777       0.7100
4      -58.6451       1.0000     1.74100    52.64
5       14.8334       4.9300     1.78472    25.68
6      189.0857       2.1600
7      -34.7689       1.0000     1.92286    18.90
8       20.3359       6.1200     1.67270    32.10
9      -19.0496       1.0000     1.83481    42.71
10   -3918.8699       0.2000
11      24.1623       5.8900     1.59270    35.31
12     -24.1623       1.3000     1.83481    42.71
13    -172.4865      23.4353
14        ∞          4.0000     1.51633    64.14
15        ∞          0.8000
像面
マスターレンズとの間隔 = 1.2632
各種データ（無限）
ｆ              294.06
ＦＮＯ．          5.76
２ω              4.27°
ＩＨ             10.82
β                2.00
ＢＦ(空気中)     26.87
全長(空気中)    210.59
【０１７２】
数値実施例５
単位  ｍｍ
面データ
面番号     r             d          nd        νd
1      110.5546       1.0000     1.83481    42.73
2       17.1310       6.5900     1.57501    41.50
3      -29.7379       2.4600
4      -34.3494       1.0000     1.88300    40.76
5       15.6142       7.4300     1.76182    26.52
6      -20.6672       1.0000     1.88300    40.76
7       72.5300       0.2000
8       21.8102       5.5900     1.59270    35.31
9      -28.6544       1.3000     1.92286    18.90
10     325.8668      26.9757
11        ∞          4.0000     1.51633    64.14
12        ∞          0.8000
像面
マスターレンズとの間隔 = 1.2632
各種データ（無限）
ｆ              293.95
ＦＮＯ．          5.76
２ω              4.22°
ＩＨ             10.82
β                2.00
ＢＦ(空気中)     30.41
全長(空気中)    208.65
【０１７３】
数値実施例６
単位  ｍｍ
面データ
面番号     r             d          nd        νd
1       40.8655       1.0000     1.83481    42.73
2       14.0063       6.6400     1.59270    35.31
3      -37.6568       0.6600
4     -148.0741       1.0000     1.83481    42.73
5       55.0766       2.3300
6      -39.9517       1.0000     1.88300    40.76
7       16.8494       7.6500     1.67270    32.10
8      -16.8494       1.0000     1.88300    40.76
9      307.7075       0.2000
10      23.5892       6.7900     1.59270    35.31
11     -23.5892       1.3000     1.92286    20.88
12     -96.1183      22.0470
13        ∞          4.0000     1.51633    64.14
14        ∞          0.8000
像面
マスターレンズとの間隔 = 2.2632
各種データ（無限）
ｆ              293.99
ＦＮＯ．          5.76
２ω              4.25°
ＩＨ             10.82
β                2.00
ＢＦ(空気中)     25.49
全長(空気中)    207.72
【０１７４】
マスターレンズの数値実施例
単位  ｍｍ
面データ
面番号     r             d          nd        νd
1      137.0268       2.6000     1.78470    26.29
2       86.6508       7.7600     1.49700    81.61
3     -321.6069       0.1500
4       96.8154       5.2600     1.43875    94.93
5      624.2467      53.8789
6     -227.2066       3.3700     1.80810    22.76
7      -59.4074       1.6000     1.48749    70.23
8       30.8341       2.7500     1.80000    29.84
9       39.2048       4.9900
10      -49.6375       1.5000     1.83481    42.73
11      458.1191       1.9122
12(絞り)   ∞          1.8000
13*      39.4392       5.7600     1.49700    81.61
14*     -87.6954       7.9800
15       70.3121       1.5000     1.84666    23.78
16       32.8253       6.5800     1.59282    68.63
17      -51.5148       0.1500
18      129.4168       3.1000     1.49700    81.61
19      -94.0670       3.8905
20      789.7458       2.0000     1.92286    18.90
21      -86.5458       1.0000     1.74320    49.29
22*      21.6608      16.1946
23     -356.0768       1.0000     1.62004    36.26
24       28.8000       2.7919
25*      31.6086       9.5800     1.80610    40.88 
26      -24.0000       1.3000     1.64769    33.79
27         ∞         26.0632
28         ∞          4.0000     1.51633    64.14
29         ∞          0.8000
像面
非球面データ 
第１３面
k=0
A4=-3.1251E-06,A6=-3.8756E-10,A8=5.5927E-11,A10=-1.4099E-13
第１４面
k=0
A4=1.0047E-05,A6=-3.0390E-10,A8=5.4533E-11,A10=-1.3296E-13
第２２面
k=-0.0326
A4=-2.5854E-06,A6=2.4119E-09,A8=-7.1028E-11,A10=1.4991E-13
第２５面
k=-0.7171
A4=7.9298E-07,A6=-2.8322E-09,A8=2.5344E-12,A10=0.0000E+00
各種データ（無限）
ｆ              147.00
ＦＮＯ．          2.88
２ω              8.30°
ＩＨ             10.82
ＢＦ(空気中)     29.50
全長(空気中)    179.90
【０１７５】
以上の実施例１〜６の収差図を、それぞれ図７〜図１２に示す。これらの収差図は、マスターレンズとコンバーターレンズを組み合わせたときの収差図である。これらの収差図において、（ａ）、（ｂ）、（ｃ）、（ｄ）は、それぞれ、球面収差（ＳＡ）、非点収差（ＡＳ）、歪曲収差（ＤＴ）、倍率色収差（ＣＣ）を示している。各図中、”ＦＩＹ”は最大像高を示す。
【０１７６】
次に、各実施例における条件式（１）〜（１１）の値を掲げる。なお、-（ハイフン）は該当する構成がないことを示す。
条件式                     実施例１    実施例２    実施例３
(1)|f|/(B*D)                  0.684       0.584       0.572
(2),(2)f21/f22                2.399       2.769       4.520
(3)f23/f                     0.564       0.657       0.666
(4)(r21f+r21r)/(r21f-r21r)   -0.075      -0.385      -0.472
(5)(r22f+r22r)/(r22f-r22r)   -0.324      -1.184      -1.051
(6)nd22N                      1.883       1.850       1.883
(7)νd22N                    40.760      43.690      40.760
(8),(8')f3/f                 -1.119      -1.410      -1.590
(9)f1/f23                    -2.772      -3.185      -3.430
(10)f1/f                    -1.564      -2.091      -2.286
(11)f2/f                     0.333       0.411       0.444
条件式                     実施例４    実施例５    実施例６
(1)|f|/(B*D)                  0.593       0.690       0.605
(2),(2)f21/f22                3.482        -          2.532
(3)f23/f                     0.644       0.671       0.562
(4)(r21f+r21r)/(r21f-r21r)   -0.527        -          0.458
(5)(r22f+r22r)/(r22f-r22r)   -1.018      -0.357      -0.770
(6)nd22N                      1.879       1.883       1.883
(7)νd22N                    30.805      40.760      40.760
(8),(8')f3/f                 -1.330      -1.918      -1.323
(9)f1/f23                    -3.026      -3.300      -2.658
(10)f1/f                    -1.949      -2.216      -1.495
(11)f2/f                     0.397       0.499       0.357
【０１７７】
撮影システムの実施例について説明する。図１５は、撮影システムの断面図であって、マスターレンズ装置と本実施形態のコンバーターレンズ装置を撮影システムに装着したときの断面図である。
【０１７８】
撮影システムは、クイックリターンミラーを廃止した新しいカメラシステムで、例えば、一眼ミラーレスカメラである。一眼ミラーレスカメラは、カメラ本体１と、コンバーターレンズ装置ＴＣと、マスターレンズ装置ＭＳＬと、で構成されている。一眼ミラーレスカメラでは、一眼レフカメラに比べてフランジバックが短くなっている。
【０１７９】
カメラ本体１は、マウント部２と、フィルタＦと、像面Ｉに配置された撮像素子と、制御回路１２と、電気接点１３ａと、を有する。制御回路１２はカメラ本体１の制御の他に、マスターレンズ装置ＭＳＬやコンバーターレンズ装置ＴＣの制御を行う。
【０１８０】
コンバーターレンズ装置ＴＣは、コンバーターレンズと、第１のマウント部Ｍ１と、第２のマウント部Ｍ２と、コンバーターレンズを保持する保持部４と、電気接点１３ｂ、１６ａと、制御回路１５と、を有する。制御回路１５は、制御回路１２からの制御情報を制御回路１８に伝達する。
【０１８１】
マスターレンズ装置ＭＳＬは、マスターレンズと、マウント部３と、マスターレンズを保持する保持部５と、電気接点１６ｂと、制御回路１７と、制御回路１８と、を有する。制御回路１７は開口絞りＳを制御する回路である。制御回路１８は、制御回路１７に開口絞りＳの制御情報を伝達する他に、フォーカスの制御にも用いられる。
【０１８２】
マウント部２、３、Ｍ１及びＭ２としては、スクリュータイプのマウントやバヨネットタイプのマウント等が用いられる。図１５では、バヨネットタイプのマウントが、マウント部２、３、Ｍ１及びＭ２に用いられている。
【０１８３】
マウント部３と第１のマウント部Ｍ１を介して、マスターレンズ装置ＭＳＬにコンバーターレンズ装置ＴＣが装着される。一方、マウント部２と第２のマウント部Ｍ２を介して、カメラ本体１にコンバーターレンズ装置ＴＣが装着される。その結果、カメラ本体１に、マスターレンズ装置ＭＳＬとコンバーターレンズ装置ＴＣとが装着される。これにより、マスターレンズ、コンバーターレンズ及び撮像素子が光軸８上に配置される。
【０１８４】
また、各マウント部には電気接点が設けられている。よって、カメラ本体１、マスターレンズ装置ＭＳＬ及びコンバーターレンズ装置ＴＣが接続されることで、制御回路１２、１５、１７及び１８の各々が電気的に接続される。その結果、制御回路１２、１５、１７及び１８を用いて、開口絞りの調整やフォーカスの調整等が行える。
【０１８５】
コンバーターレンズ装置ＴＣのコンバーターレンズは、テレコンバーターレンズである。このテレコンバーターレンズに、上述の実施例１から６のコンバーターレンズが用いられる。そのため、本実施例の撮影システムによれば、フランジバックが短い新しいカメラシステムにおいても、十分な拡大倍率で、高画質の画像を取得することができる。
【産業上の利用可能性】
【０１８６】
以上のように、本発明は、フランジバックが短いにもかかわらず、諸収差が良好に補正され、かつ十分な拡大倍率を有するコンバーターレンズに有用である。また、十分な拡大倍率で、高画質の画像を取得できる撮影システムに有用である。
【符号の説明】
【０１８７】
Ｇ１  第１レンズ群
Ｇ２  第２レンズ群
Ｇ３  第３レンズ群
Ｓ  明るさ（開口）絞り
ＣＧ  カバーガラス
Ｉ  像面
Ｆ  フィルタ
１  カメラ本体
２、３、Ｍ１、Ｍ２  マウント部
４、５  保持部
８  光軸
１２、１５、１７、１８   制御回路  
１３ａ、１３ｂ、１６ａ、１６ｂ  電気接点
ＭＳＬ  マスターレンズ装置
ＴＣ  コンバーターレンズ装置
【図１】
2016177042.tif 000003
【図２】
2016177042.tif 000004
【図３】
2016177042.tif 000005
【図４】
2016177042.tif 000006
【図５】
2016177042.tif 000007
【図６】
2016177042.tif 000008
【図７】
2016177042.tif 000009
【図８】
2016177042.tif 000010
【図９】
2016177042.tif 000011
【図１０】
2016177042.tif 000012
【図１１】
2016177042.tif 000013
【図１２】
2016177042.tif 000014
【図１３】
2016177042.tif 000015
【図１４】
2016177042.tif 000016
【図１５】
2016177042.tif 000017